(57)【要約】【課題】  パネル取付構造において、パネルの取り付け、取り外しの際にパネルの爪の破損を防止する。【解決手段】  アッパーケース３の前面部５に対向するように取り付けられるパネル７の端部に設けた爪２０ａは、アッパーケース３の係入孔１１ａに係入されることにより係合片１４に係合する。係合片１４は、前面部５に一対の溝に挟まれ弾性変形可能な舌片状に形成されている。【選択図】  図７
2010054935.tif 000002
【特許請求の範囲】
【請求項１】
矩形状のパネルを筺体の前面部に対向させて第１および第２の係合手段によって着脱自在に取り付けるパネル取付構造において、
前記第１の係合手段を、
前記パネルの一端部の両端から突設した一対の爪と、
前記前面部の一端部の両端に一対の溝に挟まれ舌片状に突設され先端部に前記爪が係合する弾性変形可能な一対の係合片とによって構成し、
前記第２の係合手段を、
前記パネルの前記一端部と直交する二つの端部および前記前面部の前記一端部と直交する二つの端部のそれぞれに設けた係合突起とこの係合突起が係合する係合凹部とによって構成したことを特徴とするパネル取付構造。
【請求項２】
前記爪に指掛け用の突起を設けたことを特徴とする請求項１記載のパネル取付構造。
【発明の詳細な説明】
【技術分野】
【０００１】
本発明は、表示装置の表示部や電話機の操作面等を覆う透明部材によって形成されたパネルの取付構造に関するものである。
【背景技術】
【０００２】
この種のパネル取付構造として典型的なものは、電話機に備え付けられ相手方の電話番号や通話時間等を表示する液晶表示部を、表示内容が表記されたシートとともにパネルで覆うものがある。この場合、電話機の機種の違い等によって液晶表示部に表示される内容が異なることがあり、これに対応してシートを交換できるようにするため、パネルを液晶表示部に対して着脱自在としている。
【０００３】
従来のパネル取付構造としては、図８および図９に示すものがある。図８に全体を符号１０１に示す電話機は、ダイヤルボタンや機能ボタン（図示せず）が配設される操作部１０２を備えており、この操作部１０２は、シート部材１０３を挟むようにして透明部材によって形成されたパネル１０４によって覆われている。操作部１０２の上端部には、同図（Ｃ）に示すようにパネル１０４の上端部に設けた断面Ｌ字状の爪１０５が係入される係入孔１０６と、係入孔１０６に係入された爪１０５が係合する係合部１０７とが設けられている。
【０００４】
パネル１０４の下端部には、同図（Ｂ）に示すように先端に爪を有する弾性係合片１０８が突設されており、操作部１０２の下端部には、弾性係合片１０８が係合する段部１０９が設けられている。このような構成において、図９（Ａ）に示すように爪１０５を係入孔１０６に係入し係合部１０７に係合させた状態で、係合部１０７を回動中心としてパネル１０４を図中反時計方向に回動させ、弾性係合片１０８を弾性変形させながら、段部１０９に係合させることにより、パネル１０４を操作部１０２に取り付ける。この状態から、弾性係合片１０８を弾性変形させながら、弾性係合片１０８と段部１０９との係合を解除し、パネル１０４を時計方向に回動させることにより、パネル１０４を操作部１０２から取り外す。
【発明の開示】
【発明が解決しようとする課題】
【０００５】
上述した従来のパネル取付構造においては、パネル１０４を操作部１０２から取り外すために、パネル１０４を時計方向に回動させていくと、図９（Ｂ）に示すように爪１０５が係入孔１０６の壁面１０６ａと係合部１０７との間で圧接され、爪１０５が破損してしまうという問題があった。
【０００６】
本発明は上記した従来の問題に鑑みなされたものであり、その目的とするところは、パネルの取り付け、取り外しの際にパネルの爪の破損を防止したパネル取付構造を提供するところにある。
【課題を解決するための手段】
【０００７】
この目的を達成するために、本発明は、矩形状のパネルを筺体の前面部に対向させて第１および第２の係合手段によって着脱自在に取り付けるパネル取付構造において、前記第１の係合手段を、前記パネルの一端部の両端から突設した一対の爪と、前記前面部の一端部の両端に一対の溝に挟まれ舌片状に突設され先端部に前記爪が係合する弾性変形可能な一対の係合片とによって構成し、前記第２の係合手段を、前記パネルの前記一端部と直交する二つの端部および前記前面部の前記一端部と直交する二つの端部のそれぞれに設けた係合突起とこの係合突起が係合する係合凹部とによって構成したものである。
【０００８】
本発明は、前記発明において、前記爪に指掛け用の突起を設けたものである。
【発明の効果】
【０００９】
本発明によれば、パネルを取り付ける際および取り外す際に、爪が係合している係合片が弾性変形するため、爪が破損するようなことがない。
【発明を実施するための最良の形態】
【００１０】
以下、本発明の実施の形態を図に基づいて説明する。図１は本発明に係るパネル取付構造を実施した液晶表示装置の平面図、図２は同じく外観を示す斜視図、図３は同じくシートを載置させた状態を示す斜視図、図４は同じくパネルを取り付けた状態を示す斜視図、図５（Ａ）は図２におけるＶ（Ａ）部の拡大図、同図（Ｂ）は図２におけるＶ（Ｂ）部の拡大図、図６（Ａ）は図１におけるVI（Ａ）-VI（Ａ） 線断面図、同図（Ｂ）は同図（Ａ）におけるVI（Ｂ）部の拡大図、図７（Ａ）は図１におけるVII（Ａ）-VII（Ａ） 線断面図、同図（Ｂ）は同図（Ａ）におけるVII（Ｂ）部の拡大図、同図（Ｃ）はパネルを取り外す状態を示す同図（Ａ）におけるVII（Ｂ）部の拡大図である。
【００１１】
図２ないし図４に全体を符号１で示す液晶表示装置は、ロアーケース２とアッパーケース３とによって筺体４が形成され、アッパーケース３の前面部５に載置されるシート６と、このシート６と前面部５とを覆う透明部材によって形成されたパネル７とを備えている。
【００１２】
アッパーケース３は、図２に示すように窓５ａを有する矩形状の前面部５と、両側面部１０，１０と、背面部１１と、正面部１２（図７参照）とによって、全体がプラスチックによって下方が開口した箱状に形成されている。正面部１２には、図７（Ａ）に示すようにパネル７の後述する係合凸条体７ａが係合する段部１２ａが、矢印Ｃ−Ｄ方向全体に設けられている。
【００１３】
前面部５の矢印Ａ方向の端部の矢印Ｃ−Ｄ方向の両側には、図５（Ｂ）に示すように互いに平行な一対の溝１３，１３に挟まれ、矢印Ａ方向に向かって突設された舌片状の弾性変形可能な係合片１４，１４が設けられている。これら係合片１４，１４に対応して、アッパーケース３の背面部１１の矢印Ｃ−Ｄ方向の両端部には、パネル７の後述する爪２０ａが係入される係入孔１１ａ，１１ａが設けられている。この係合片１４と、この係合片１４の先端部に係合する爪２０ａとによって第１の係合手段２３が構成されている。
【００１４】
前面部５の矢印Ｃ−Ｄ方向の両端部には、矢印Ａ−Ｂ方向に延在する凸条体１５，１５が突設されており、これら凸条体１５，１５の矢印Ｂ方向の端部には、図５（Ａ）に示すようにそれぞれ矢印Ｃ方向または矢印Ｄ方向に向かって突設された突起１６，１６が一体に設けられており、これら突起１６，１６の下部には、図６（Ｂ）に示すように係合凹部１７，１７が形成されている。
【００１５】
図２において、１８は筺体４内に実装された液晶表示器であって、前面部５の窓５ａから露呈している。シート６の中央部には、図３に示すように窓５ａと同じ大きさに形成された孔６ａが設けられており、シート６は全体が枠状に形成されている。
【００１６】
パネル７は、図４に示すように凸条体１５，１５間に嵌合する大きさの矩形状に形成されており、矢印Ｂ方向の端部には、図７（Ａ）に示すように矢印Ｃ−Ｄ方向全体に延在する係合凸条部７ａが矢印Ｆ方向に向かって突設されている。また、パネル７の矢印Ａ方向の端部の矢印Ｃ−Ｄ方向の両側には、図７（Ｂ）に示すように係合部２０，２０が矢印Ｆ方向に向かって突設されている。
【００１７】
これら係合部２０，２０の先端部には、矢印Ｂ方向に向かって突設された爪２０ａ，２０ａが設けられており、これら爪２０ａ，２０ａはアッパーケース３の係入孔１１ａ，１１ａに係入させることにより、係合片１４，１４の先端部に係合する。係合部２０には、爪２０ａと反対方向に向かって突設した指掛け用突起２０ｂが一体に設けられている。
【００１８】
パネル７の矢印Ｃ−Ｄ方向の両端部であって矢印Ｂ方向の端部には、図６（Ｂ）に示すように凸条体１５，１５の係合凹部１７，１７に係合する係合突起２１，２１が矢印Ｃ方向または矢印Ｄ方向に向かって突設されている。これら係合凹部１７と係合突起２１とが第２の係合手段２４を構成している。
【００１９】
次に、このように構成された液晶表示装置において、パネルの取り付けおよび取り外しの方法について説明する。先ず、パネル７を前面部５に取り付ける方法について説明する。この場合は、アッパーケース３の前面部５上に、図３に示すようにシート６を載置する。次いで、パネル７の爪２０ａをアッパーケース３の係入孔１１ａ，１１ａに係入させることにより、図７（ｃ）示すように、爪２０ａを係合片１４，１４の先端部に係合させる。パネル７を、係合片１４を回動中心として同図（Ａ）において反時計方向に回動させ、パネル７をアッパーケース３の前面部５に対向させることにより、図６（Ｂ）に示すようにパネル７の係合突起２１をアッパーケース３の係合凹部１７に係合させる。
【００２０】
したがって、この係合突起２１と係合凹部１７との係合および爪２０ａと係合片１４との係合によって、パネル７はアッパーケース３に取り付けられる。この状態で、パネル７は、図７（Ａ）に示すように係合凸条体７ａがアッパーケース３の段部１２ａに係合し、同図（Ｂ）に示すように爪２０ａが係合片１４に係合するため、矢印Ａ−Ｂ方向の移動が規制される。同時に、パネル７は、図４に示すようにアッパーケース３の一対の凸条体１５，１５に挟持されるため、矢印Ｃ−Ｄ方向の移動が規制される。さらに、パネル７は、係合突起２１と係合凹部１７との係合および爪２０ａと係合片１４との係合によって、矢印Ｅ−Ｆ方向の移動が規制される。
【００２１】
この状態から、シート６を交換するためにパネル７を前面部５から取り外すには、図４において、図示を省略した指をパネル７の矢印Ａ方向の端部の中央部Ｇに掛け、この中央部Ｇを持ち上げる。中央部Ｇに指を掛けることにより、指を掛けた中央部Ｇと、係合突起２１が設けられたパネル７の矢印Ｃ−Ｄ方向の両端部との間の距離Ｌが相対的に長く、中央部Ｇが比較的容易に上方に撓むため、比較的小さな力で係合突起２１と係合凹部１７との係合を解除することができる。
【００２２】
係合突起２１と係合凹部１７との係合を解除することにより、パネル７を係合片１４を回動中心として図７において時計方向に回動させ、パネル７をアッパーケース３の前面部５から離間させる。このとき、爪２０ａが係合している係合片１４は、図７（Ｃ）に示すように弾性変形するため、爪２０ａと係合片１４との係合が解除され、パネル７はアッパーケース３から取り外される。このように、爪２０ａと係合片１４との係合が解除されるとき、係合片１４が弾性変形するため、係合片１４または爪２０ａが破損するようなことがない。
【００２３】
このパネル７の前面部５からの取り外しに当たっては、先に係合突起２１と係合凹部１５との係合を解除するのではなく、係合突起２１と係合凹部１５との係合を解除する以前に爪２０ａと係合片１４との係合が解除するようにしてもよい。すなわち、係合部２０の指掛け用突起２０ｂに指を掛けて、強制的に爪２０ａと係合片１４との係合を解除させてから、係合突起２１と係合凹部１５との係合を解除して、パネル７をアッパーケース３から取り外す。この場合も、係合片１４が弾性変形するため、係合片１４または爪２０ａが破損するようなことがない。
【図面の簡単な説明】
【００２４】
【図１】本発明に係るパネル取付構造を実施した液晶表示装置の平面図である。
【図２】本発明に係るパネル取付構造を実施した液晶表示装置の外観を示す斜視図である。
【図３】本発明に係るパネル取付構造を実施した液晶表示装置において、シートを載置させた状態を示す斜視図である。
【図４】本発明に係るパネル取付構造を実施した液晶表示装置において、パネルを取り付けた状態を示す斜視図である。
【図５】同図（Ａ）は図２におけるＶ（Ａ）部の拡大図、同図（Ｂ）は図２におけるＶ（Ｂ）部の拡大図である。
【図６】同図（Ａ）は図１におけるVI（Ａ）-VI（Ａ） 線断面図、同図（Ｂ）は同図（Ａ）におけるVI（Ｂ）部の拡大図である。
【図７】同図（Ａ）は図１におけるVII（Ａ）-VII（Ａ） 線断面図、同図（Ｂ）は同図（Ａ）におけるVII（Ｂ） 部の拡大図、同図（Ｃ）はパネルを取り外す状態を示す同図（Ａ）におけるVII（Ｂ）部の拡大図である。
【図８】従来のパネル取付構造を示し、同図（Ａ）は正面図、同図（Ｂ）は同図（Ａ）におけるVIII（Ｂ）-VIII（Ｂ） 線断面図、同図（Ｃ）は同図（Ｂ）におけるVIII（Ｃ）部の拡大図である。
【図９】従来のパネル取付構造を示し、同図（Ａ）はパネルを取り外す状態を示す断面図、同図（Ｂ）は同図（Ａ）におけるIX（Ｂ）-IX（Ｂ） 部の拡大図である。
【符号の説明】
【００２５】
１…液晶表示装置、３…アッパーケース、５…前面部、６…シート、７…パネル、１１ａ…係入孔、１３…溝、１４…係合片、１７…係合凹部、２０…係合部、２０ａ…爪、２１ｂ…指掛け用突起、２３…第１の係合手段、２４…第２の係合手段。
【図１】
2010054935.tif 000003
【図２】
2010054935.tif 000004
【図３】
2010054935.tif 000005
【図４】
2010054935.tif 000006
【図５】
2010054935.tif 000007
【図６】
2010054935.tif 000008
【図７】
2010054935.tif 000009
【図８】
2010054935.tif 000010
【図９】
2010054935.tif 000011